(57)【要約】      （修正有）【課題】湿気を自然蒸発させ室内に供給できるようにする自然加湿器の室内に加湿する湿気の量を簡便に調節する。【解決手段】水貯蔵容器に蜂の巣状の不織布が開いたり窄んだりできるように設置・構成し、不織布の一端部が水貯蔵容器に溜まった水に浸って吸収するようにし、その表面積の変化により吸収・蒸発し気化した湿気の量が調節されるようにするもので、不織布の表面積の変化により加湿量が調節される。【選択図】図１
2014219193.tif 000002
【特許請求の範囲】
【請求項１】
吸収した湿気を自然蒸発させ室内に供給できるようにする自然加湿器において、
水を収容して貯蔵する水貯蔵容器と、
前記水貯蔵容器に設置・具備し、それに溜まった水をその端部を通して吸収し蒸発できるようにする蜂の巣状の不織布手段、
前記不織布手段を設置し、それを開かせたり窄ませながらその表面積を変化させる羽プレート、及び
前記羽プレートを多数嵌め込み設置し、前記羽プレートがそれを中心軸とし回転させるロッド支持体を含み構成されていることを特徴とする、不織布の表面積の変化により加湿量が調節される自然加湿器。
【請求項２】
請求項１において、
前記羽プレートは互いに対向し設置した第１プレートと第２プレートとで一つのセットとして構成され、前記第１プレートと前記第２プレートの中で一方は磁性体であり、もう一方は磁性体がくっつく材質で形成・具備されていることを特徴とする不織布の表面積の変化により加湿量が調節される自然加湿器。
【請求項３】
請求項１において、
前記水貯蔵容器の底面の内側の縁には、前記羽プレートの端段部を引っ掛け固定するようにくぼんで形成された凹溝部が形成・具備され、
前記水貯蔵容器の内側の底面には、前記羽プレートの端段部を引っ掛け固定するように上向突出した段差部が形成・具備され、
前記水貯蔵容器の内側の底の中央部には、前記羽プレートの端段部を引っ掛け固定するように上向突出した凸突起部がさらに形成・具備されていることを特徴とする、不織布の表面積の変化により加湿量が調節される自然加湿器。
【請求項４】
請求項３において、
前記羽プレートの下段部の端段には、回転しつつ前記水貯蔵容器の内側の底面に形成された前記凹溝部か前記段差部、或いは前記凸突起部に支えられ・固定された固定突起がさらに形成・具備されていることを特徴とする、不織布の表面積の変化により加湿量が調節される自然加湿器。
【請求項５】
請求項３において、
前記ロッド支持体は多等分に分割し連結され、一端部には嵌め込み突起が設置され、他の端部には嵌め込み穴が設置されており、それらを互いに嵌め合わせ円状のリング体に形成されていることを特徴とする、不織布の表面積の変化により加湿量が調節される自然加湿器。
【請求項６】
請求項５において、
前記水貯蔵容器は上部側が開口する円状に形成され、その内部の上部側に前記ロッド支持体が設置・具備され、前記ロッド支持体には前記羽プレートが多数嵌め込まれ設置されていることを特徴とする、不織布の表面積の変化により加湿量が調節される自然加湿器。
【請求項７】
請求項６において、
前記羽プレートは薄い板材からなり後面部が垂直に形成され、前面部は上・下段部から中央部に向かうほど盛り上がった状態に形成されており、後面部の下部側には前記水貯蔵容器の側面の角部に支えられスライドするようにするラウンド段差（１３０ａ）が形成されていることを特徴とする、不織布の表面積の変化により加湿量が調節される自然加湿器。
【発明の詳細な説明】
【技術分野】
【０００１】
本発明は、湿気を自然的に蒸発させ室内に供給する自然加湿器に関するもので、発明の詳細な説明は、水貯蔵容器に蜂の巣状の不織布が開いたり窄んだりできるように設置・構成し、不織布の一端部が水貯蔵容器に溜まった水に浸り水を吸収できるようにするが、その表面積の変化により吸収、蒸発し、気化される湿気の量を簡便に調節できるようにする、不織布の表面積の変化により加湿量が調節される自然加湿器に関するものである。
【背景技術】
【０００２】
加湿器は、本来室内の湿度を一定の水準以上に保つことを目的とし、家庭や事務室、病室などで使用されており、普段電気を用いた超音波加湿器や噴霧式加湿器を使用している。
【０００３】
しかし、前記超音波加湿器や噴霧式加湿器を用いた加湿は、継続的な稼動維持費が消耗されるだけでなく、人為的に加湿器を稼動したり、止めたりすることにより湿度が一定の水準以上に加湿される場合、電子製品や衣類などに被害を及ぼす可能性があり、湿度が足りないと気管支疾患及び風邪などの病気にさらされかねない。
【０００４】
よって、最近では自然蒸発加湿器を使用することもある。自然蒸発加湿器は大韓民国公開特許広報第１０−２００７−００７９７５６号の「人造鉢素材の加湿方法及びその装置」と、登録実用新案第１０−０４５７７００号の「自然加湿器」などといったような様々な構造の加湿器が公知されている。
【０００５】
従来の前記「人造鉢素材の加湿方法及びその装置」は、鉢の胴体の内部にスプリングを用いた加圧装置を設け、その上部には水貯蔵容器を設置し、鉢の胴体の中央部には木の胴体を設置し、その内部に水が通る水路を形成し水貯蔵容器に連結させ、木の胴体の合間には数個の幹枝を設置するが、各々の幹枝の内部に水路を形成し連結させ、各幹枝の先の部分には織物及び繊維製の遮断板を設置し、木の胴体の側面に形成された幹枝には葉を設置するが、葉は加湿用の葉と空気浄化用の葉を固定設置し、幹枝の上の方には給水信号用インディケーターの葉を設置したものである。
【０００６】
また、従来の前記登録実用新案第１０−０４５７７００号の「自然加湿器」は、フィルター支持台により広げられティッシュボール状をなすティッシュボール型フィルターと、蓋部と貯蔵部とに分離された鉢状をなし水を溜める支柱体を含めてできており、前記ティッシュボール型フィルターが支柱体に挿入され、支柱体に溜まった水がティッシュボール型フィルターの下部を通りティッシュボール型フィルターの上部へ移動し自然蒸発され、蓋部と貯蔵部はパッキング部材を介して組み立てられ支柱体を形成することにより、支柱体が水密性を持つように構成されたものである。
【先行技術文献】
【特許文献】
【０００７】
【特許文献１】ＫＲ１０−２００７−００７９７５６（公開番号）２００７．０８．０８．
【特許文献２】ＫＲ２０−０４５７７００（登録番号）２０１１．１２．２３．
【特許文献３】ＫＲ２０−２０１０−０００６３０２（公開番号）２０１０．０６．２２．
【発明の概要】
【発明が解決しようとする課題】
【０００８】
しかし、従来の前記「人造鉢素材の加湿方法及びその装置」は、木の胴体の内部に水が通る水路を形成し、水が木の胴体の水路から枝に形成された小さい水路へ移動し、その移動された水が先の部分に設置された葉に吸収されるように構成されているため、異物によって水路が詰まってしまうという問題があり、またスプリングや加圧装置、活性炭などを構成要素としているので構造が複雑であり、洗浄が難しいという問題がある。
【０００９】
また、従来の前記「自然加湿器」は、ティッシュボール状のフィルターによって湿気が蒸発される面積が拡大される構造であるが、その拡大される面積を任意に調節できない構造となっており、自然蒸発される湿度の調節が容易ではないという問題がある。
【００１０】
よって、本発明は前記のような問題を解決するために案出されたもので、
【００１１】
水を収容し貯蔵する水貯蔵容器と、前記水貯蔵容器に設置されるが、円状のロッド支持体に挿設され、これを中心に回転しながら上部側が開いたり窄んだりできるようにする羽プレート、及び蜂の巣状になり前記羽プレートに設置し、水気を吸い込む表面積が前記羽プレートの作動により変形できるようにする不織布手段からなり、水貯蔵容器に蜂の巣状の不織布手段が開いたり窄んだりできるようにしつつその表面積を可変させることにより、室内の乾燥状態によって不織布が吸収し蒸発する湿気の量を適切に調節する、不織布の表面積の変化により加湿量が調節される自然加湿器を提供することにある。
【００１２】
本発明のさらなる目的は、不織布手段を設置した羽プレートが磁力を用いて相互連結及び分離するようにし、掃除を簡便に実施できるようにすることにより、清潔かつ衛生的な自然加湿器を提供することにある。
【課題を解決するための手段】
【００１３】
前記の目的を達成するため本発明は、吸収した湿気を自然蒸発させ室内に供給できるようにする自然加湿器において、
【００１４】
水を収容して貯蔵する水貯蔵容器と、前記水貯蔵容器に設置・具備され、そこに溜まった水をその端部を通し吸収し、蒸発させることができるようにする蜂の巣状の不織布手段、前記不織布手段を設置しこれを窄めたり開いたりさせその表面積を変化させる羽プレート、及び前記羽プレートを多数嵌め込み設置し、前記羽プレートがこれを中心軸として回転できるようにするロッド支持体を含め構成されていることを特徴とする。
【発明の効果】
【００１５】
したがって、本発明による不織布の表面積の変化により加湿量が調節される自然加湿器は、水貯蔵容器に蜂の巣状の不織布手段を開かせたり窄ませたりできるように設置・構成し、不織布手段の一端部が水に浸るようにすることで、不織布手段の表面積が増大又は減少することにより、その端部から吸い込む水の増発量が適切に調節され、室内への湿気の供給が効果的に行われるようになる。
【００１６】
また、羽手段の調節により不織布手段の状態が変形しながらその表面積の変形が容易に行われ、湿気の供給を便利に調節できるようにしながらも室内のインテリアに対する審美眼を向上させられるというメリットがある。
【００１７】
また、ロッド支持体や羽プレートの分離及び組立が容易であり簡単に洗浄でき、加湿器を清潔に使用できるというメリットもある。
【図面の簡単な説明】
【００１８】
【図１】本発明による不織布の表面積の変化により加湿量が調節される自然加湿器で、不織布手段が設置されてない斜視図であり、
【図２】本発明による不織布の表面積の変化により加湿量が調節される自然加湿器が完全に窄んだ状態（ａ）と半分ぐらい窄んだ状態（ｂ）及び完全に開いた状態（ｃ）の斜視図であり、
【図３】本発明による不織布の表面積の変化により加湿量が調節される自然加湿器の分離斜視図であり、
【図４】本発明による不織布の表面積の変化により加湿量が調節される自然加湿器に設置された羽プレートが段階的に回転する概略的な断面図であり、
【図５】本発明による不織布の表面積の変化により加湿量が調節される自然加湿器の要部についての概略的な断面図である。
【図６】本発明による不織布の表面積の変化により加湿量が調節される自然加湿器の要部についての概略的な断面図である。
【発明を実施するための形態】
【００１９】
以下、本発明の望ましい実施例を添付した図面を参照し、当該分野で通常の知識を有する者が容易に実施できるように説明する。
【００２０】
本発明による不織布の表面積の変化により加湿量が調節される自然加湿器１００は図１ないし図５に示したように、
水を収容して貯蔵する水貯蔵容器１１０と、
前記水貯蔵容器１１０に設置・具備され、それに貯蔵された水をその端部を通して吸収し、蒸発させられるようにする蜂の巣状の不織布手段１２０と、
前記不織布手段１２０を設置し、それを窄ませたり開かせながらその表面積を可変させる羽プレート１３０と、
前記羽プレート１３０を多数嵌め込み円状に連結・設置し、前記羽プレート１３０がそれを中心軸として回転できるようにする円状のロッド支持体１４０と、で構成されている。
【００２１】
ここで、前記水貯蔵容器１１０の底面の内側の縁には、前記羽プレート１３０の端段部を引っ掛けて固定されるようにくぼんだ凹溝部１１１が形成・具備されている。
【００２２】
また、前記水貯蔵容器１１０の内側の底面には、前記羽プレート１３０の端段部を引っ掛けて固定されるように上向きに突出た段差部１１２が形成・具備されている。
【００２３】
そして、前記水貯蔵容器１１０の内側の底面の中央部には、前記羽プレート１３０の端段部を引っ掛けて固定されるように上向きに突出た凸突起部１１３が形成・具備されている。
【００２４】
ここで、前記水貯蔵容器１１０は、水を内部に貯蔵できる空間部が形成され、側面部が外側に膨らんだ形状を有する円形空間型容器であることが望ましい。
【００２５】
したがって、前記水貯蔵容器１１０は、上部側が開口された円形で形成され、その内部の上部側に前記ロッド支持体１４０が設置・具備されるようになる。
【００２６】
このような構成は図２に図示されているように、前記羽プレート１３０が前記ロッド支持体１４０を中心に回転しながら、下段部が前記凸突起部１１３に引っ掛かり固定され上部側が最も大きく開く状態になり、その表面積が最も大きく形成（図２ｃ）された状態を示している。
【００２７】
また、前記羽プレート１３０が前記ロッド支持体１４０を中心に回転しながら、その下段部が前記段差部１１２に引っ掛かり固定され上段部はやや窄む状態になり、その表面積が中位に小さく形成（図２ｂ）された状態を示している。
【００２８】
また、前記羽プレート１３０が前記ロッド支持体１４０を中心に回転しながら、その下段部が前記凹溝部１１１に引っ掛かり固定され上部側が完全に窄んだ状態となり、その表面積が最も小さく形成（図２ａ）された状態を示している。
【００２９】
このように、前記羽プレート１３０が前記ロッド支持体１４０を中心に回転しながら、上部側が  開いたり窄んだりするようにすることにより、前記不織布手段１２０の表面積が最も大きく開いた状態から最も小さく窄んだ状態へ、徐々に変形するようになる。その逆も可能である。
【００３０】
こうして、前記不織布手段１２０がその端部から前記水貯蔵容器１１０に溜まった水を全面積に渡りあまねく吸い込ませ吸収した後、それを大気中（室内）に自然蒸発させ室内の湿度をあげることにより自然加湿がなされる。
【００３１】
このような前記不織布手段１２０は、必ずしも不織布でなくても水を吸収する機能を有し、その表面積の変形が可能な材質や手段であれば何でも可能である。
【００３２】
ここで、前記ロッド支持体１４０は二等分され、一端部には嵌め込み突起１４１を設置し、他の端部には嵌め込み穴１４２を設置し、それらを互いに嵌合わせ円形のリング体を形成する。勿論、前記ロッド支持体１４０は二等分以上の数等分で構成されることもあり得る。
【００３３】
また、前記ロッド支持体１４０は、曲げると円状に形成できるフレキシブルな材質で構成することが望ましい。
【００３４】
そして、前記羽プレート１３０は、互いに対向して具備された第１プレート１３１と第２プレート１３２が一つのセット（ｓｅｔ）で構成され、そのどちらか一方は磁性を有するように形成され、もう一方は磁性体がくっつく特性の材質で形成・具備されるようになる。
【００３５】
また、前記羽プレート１３０には前記ロッド支持体１４０が嵌まるように嵌め込み穴１３３が形成されている。
【００３６】
ここで、前記羽プレート１３０は、薄い板材からなり後面部が垂直に形成され、前面部は上・下段部から中央部へ向かうほど盛り上がった状態に形成されており、後面部の下部側には前記水貯蔵容器１１０の側面の角部に支えられながらスライドさせるラウンド段差（１３０ａ）が形成された構造となっている。
【００３７】
したがって、円状になっている前記ロッド支持体１４０に１２０度間隔で前記羽プレート１３０を挿設した後、前記羽プレート１３０に形成された前記ラウンド段差１３０ａを前記水貯蔵容器１１０の側面の角部を支え設置すると、前記水貯蔵容器１１０の上部側に、前記不織布手段１２０を設置した前記羽プレート１３０が安定的に設置・具備されるようになる。
【００３８】
ここで、前記羽プレート１３０を前記ロッド支持体１４０に１２０度間隔で３ヶ所設置するものを実施例としたが、それ以上の個数の設置も可能である。
【００３９】
また、前記不織布手段１２０は、不織布固定口１５０によって前記羽プレート１３０の側面に挿設・固定できるようになっている。
【００４０】
ここで、前記不織布固定口１５０の形状は、前記不織布手段１２０を嵌め込み前記羽プレート１３０の側面に挿設・固定できる程度の形態となり、それを固定するように前記羽プレート１３０にも設置溝１３４が形成・具備されるようになる。
【００４１】
したがって、前記羽プレート１３０には前記不織布手段１２０を前記不織布固定口１５０と前記設置溝１３４を用いて設置される。
【００４２】
これをもっと具体的に説明すると、時計回りに、一番目の前記羽プレート１３０に設置された前記第１プレート１３１と二番目の前記羽プレート１３０に設置された第２プレート１３２に、前記不織布手段１２０を、前記不織布固定口１５０を用いて設置・固定し、次に二番目の前記羽プレート１３０に設置された前記第１プレート１３１と三番目の前記羽プレート１３０に設置された前記第２プレート１３２に前記不織布手段１２０を、前記不織布固定口１５０を用いて設置し、また三番目の羽プレート１３０に設置された前記第１プレート１３１と一番目の前記羽プレート１３０に設置された前記第２プレート１３２に前記不織布手段１２０を前記不織布固定口１５０を用いて設置した後、各々前記第１プレート１３１と第２プレート１３２を互いに磁力によりくっつけると、円状を成すようになる。
【００４３】
ここで、前記第１プレート１３１と第２プレート１３２に不織布接着剤を用いて前記不織布手段１２０を接着して固定することもできる。
【００４４】
本発明の実施例では、前記第１プレート１３１と前記第２プレート１３２とで構成された前記羽プレート１３０が３つのセット（ｓｅｔ）として前記ロッド支持体１４０に挿設し円状をなすようにしているが、それに限らず、それ以上の個数で構成することもできる。
【００４５】
そして、前記羽プレート１３０の下段部の端段には、回転しながら前記水貯蔵容器１１０の内側の底部に形成された前記凹溝部１１１か前記段差部１１２、或いは前記凸突起部１１３などに容易に支えられながら固定できるようにする固定突起１３５がさらに形成・具備されている。
【００４６】
前記のように構成された本発明の不織布の表面積の変化により加湿量が調節される自然加湿器１００が作動するのを見れば次の通りである。
【００４７】
まず、前記水貯蔵容器１１０の開口部の内側の上部側に前記ロッド支持体１４０に前記不織布手段１２０を設置した前記羽プレート１３０を設置する。
【００４８】
次に、図２に示したように、前記水貯蔵容器１１０に溜まった水が前記不織布手段１２０を濡らし、その下段部側から上部側へと吸い込まれ上がるようになる。
【００４９】
すると、前記不織布手段１２０は蜂の巣状になっていて、これにより表面積が広く、吸収された水が大気中へ容易に飛ばされ蒸発しながら室内の湿度を調節してくれるようになる。
【００５０】
この際、前記不織布手段１２０の表面積が広くなると大量の湿気が蒸発し加湿され、表面積が狭くなると少量の湿気が蒸発し加湿されるようになる。
【００５１】
即ち、図２ｃに示したように、前記不織布手段１２０を最大限開くようにしその表面積を最大にしてあげることで、大気中へ大量の水蒸気を供給し加湿するようになり、図２ｂに示したように、前記不織布手段１２０を半開きになるようにしその表面積を‘中’にしてあげることにより、大気中へやや少な目の量の水蒸気を供給し加湿するようになり、また図２ａに示したように、前記不織布手段１２０を窄ませてその表面積を最小化してあげることにより、大気中へ最少量の水蒸気を供給し加湿するようになる。
【００５２】
このように、前記羽プレート１３０を、前記ロッド支持体１４０を中心に段階的に回転させてあげることで、前記不織布手段１２０の表面積が変化し、これにより大気中へ蒸発する湿気の量を調節するようになる。
【００５３】
このような構成による本発明の不織布の表面積の変化により加湿量が調節される自然加湿器を利用すると、前記のような作動により室内への湿気の供給を最適化させることができる。
【００５４】
以上のように、本発明による不織布の表面積の変化により加湿量が調節される自然加湿器は、水を収容し貯蔵する水貯蔵容器と、前記水貯蔵容器に設置され、円状のロッド支持体に挿設しそれを中心に回転しながら上部側が開いたり窄んだりできるようにする羽プレート、及び蜂の巣状となり前記羽プレートに設置され、水気を吸い込む表面積が前記羽プレートの作動によって変わるようにする不織布手段で構成され、水貯蔵容器に蜂の巣状の不織布手段が開いたり窄んだりできるようにしつつその表面積を変えることを可能にすることで、室内の乾燥状況により不織布手段が吸収し蒸発させる湿気の量が自然に調節されるようになる。
【００５５】
また、本発明は、羽プレートの調節により不織布手段の形態を変えながらその表面積の変形が容易になされ、湿気の供給を便利に調節できるというメリットがある。
【００５６】
また、本発明は、羽プレートと不織布手段の分離及び組立が容易であり、簡便に洗浄することができ、加湿器を清潔に運用できるという効果もある。
【符号の説明】
【００５７】
１００：不織布の表面積の変化により加湿量が調節される自然加湿器
１１０：水貯蔵容器
１１１：凹溝部
１１２：段差部
１１３：凸突起部
１２０：不織布手段
１３０：羽プレート
１３１：第１プレート
１３２：第２プレート
１３３：嵌め込み穴
１３４：設置溝
１３５：固定突起
１４０：ロッド支持体
１４１：嵌め込み突起
１４２：嵌め込み穴
１５０：不織布固定口
【図１】
2014219193.tif 000003
【図２】
2014219193.tif 000004
【図３】
2014219193.tif 000005
【図４】
2014219193.tif 000006
【図５】
2014219193.tif 000007
【図６】
2014219193.tif 000008